(57)【特許請求の範囲】
【請求項１】
カウンタ胴に対向しシート状物に対して処理を行う処理胴と、この処理胴を前記カウンタ胴に対して着脱させる着脱手段とを備えた処理装置において、
前記処理胴に対して上方又は下方に配置した前記カウンタ胴を前記処理胴に対して遠近方向に移動調整する調整手段を備え、
前記カウンタ胴は前記シート状物をくわえるためのくわえ爪を有し、
前記処理胴は、
押切刃、折り目刃、エンボス型が設けられ、シート状物に打抜き、折り目付き加工、エンボス加工を行う加工プレートが装着される加工胴であり、
前記調整手段は、
前記加工プレートのシート状物に対する押込量を入力する押込量入力手段と、
前記カウンタ胴を前記処理胴に対して遠近方向に移動させるモータと、
このモータを前記押込量入力手段の入力値に基づいて制御する制御装置とを備えていることを特徴とする処理装置。
【請求項２】
前記調整手段は前記カウンタ胴の両端部を支持する一対の調整用偏心軸受を備え、
前記着脱手段は前記処理胴の両端部を支持する一対の着脱用偏心軸受を備えていることを特徴とする請求項１記載の処理装置。
【請求項３】
前記調整手段はモータの駆動を一対の前記調整用偏心軸受へ伝達する駆動伝達手段を備えていることを特徴とする請求項２記載の処理装置。
【請求項４】
前記調整手段は、
前記モータに駆動連結された連結シャフトと、
一対の前記調整用偏心軸受のそれぞれに連結され、前記連結シャフトにそれぞれ駆動連結される連結手段とを備えていることを特徴とする請求項３記載の処理装置。
【発明の詳細な説明】
【技術分野】
【０００１】
本発明は、シート状物やウェブ等に折り目付け、切り目付け、打ち抜き、エンボス加工
、印刷、コーティング等の各種の処理を行うための処理装置に関するものである。
【背景技術】
【０００２】
従来の処理装置としては、処理プレートが外周面に装着された処理胴と、この処理胴に
対向し外周面にカウンタプレートが装着され被処理材を搬送するカウンタ胴と、印刷中に
処理胴に対してカウンタ胴を着脱させる着脱手段とを備えたものがある（例えば、特許文
献１参照）。また、処理胴を内側の偏心軸受と外側の偏心軸受との２つの偏心軸受によっ
て支持し、これら偏心軸受のそれぞれを回動させることにより、処理胴の着脱と印圧調整
とを行うものもある（例えば、特許文献２参照）。
【特許文献１】特開２００３−２９１３０３号公報（段落〔００２９〕〜〔００３１〕、図１）
【特許文献２】実開昭５４−１１８２０１号公報（２頁１７行〜３頁９行、第２図）
【発明の概要】
【発明が解決しようとする課題】
【０００３】
上述した従来の処理装置のうち前者の装置においては、処理胴とカウンタ胴との間の間
隔を調整する手段が備えられていないため、被処理材に対する処理プレートによる押圧力
を調整することができないという問題があった。また、後者の装置においては、処理胴を
２つの偏心軸受で支持する、いわゆるダブルエキセンの支持構造としているために、フレ
ームと一方の偏心軸受および一方の偏心軸受と他方の偏心軸受ならびに他方の偏心軸受と
端軸との間に回動ないし回転に要するクリアランスがあるために、フレームに対する処理
胴の遊動量が大きくなる。したがって、処理胴がカウンタ胴の上方に設けられている場合
、処理胴とカウンタ胴との間を通過するシート状物によって処理胴が自重に抗してクリア
ランスの範囲内で持ち上げられるとき処理胴の移動量が大きくなるから、処理胴によるシ
ート状物への押圧力の精度が低下し処理不良が発生するという問題があった。
【０００４】
本発明は上記した従来の問題に鑑みなされたものであり、その目的とするところは、被
処理材に対する処理胴の押圧力の精度を向上させ、処理胴による処理不良を防止した処理
装置を提供するところにある。
【課題を解決するための手段】
【０００５】
この目的を達成するために、請求項１に係る発明は、カウンタ胴に対向しシート状物に対して処理を行う処理胴と、この処理胴を前記カウンタ胴に対して着脱させる着脱手段とを備えた処理装置において、前記処理胴に対して上方又は下方に配置した前記カウンタ胴を前記処理胴に対して遠近方向に移動調整する調整手段を備え、前記カウンタ胴は前記シート状物をくわえるためのくわえ爪を有し、前記処理胴は、押切刃、折り目刃、エンボス型が設けられ、シート状物に打抜き、折り目付き加工、エンボス加工を行う加工プレートが装着される加工胴であり、前記調整手段は、前記加工プレートのシート状物に対する押込量を入力する押込量入力手段と、前記カウンタ胴を前記処理胴に対して遠近方向に移動させるモータと、このモータを前記押込量入力手段の入力値に基づいて制御する制御装置とを備えているようにしたものである。
【０００６】
請求項２に係る発明は、請求項１に係る発明において、前記調整手段は前記カウンタ胴
の両端部を支持する一対の調整用偏心軸受を備え、前記着脱手段は前記処理胴の両端部を
支持する一対の着脱用偏心軸受を備えていることを特徴とするものである。
【０００７】
請求項３に係る発明は、請求項２に係る発明において、前記調整手段はモータの駆動を
一対の前記調整用偏心軸受へ伝達する駆動伝達手段を備えていることを特徴とするもので
ある。
【０００８】
請求項４に係る発明は、請求項３に係る発明において、前記調整手段は、前記モータに
駆動連結された連結シャフトと、一対の前記調整用偏心軸受のそれぞれに連結され、前記
連結シャフトにそれぞれ駆動連結される連結手段とを備えていることを特徴とするもので
ある。
【発明の効果】
【００１０】
本発明によれば、処理胴をカウンタ胴に対して着脱させ、処理胴による押圧力を調整するためにカウンタ胴を処理胴に対して遠近方向に移動させるようにしたことにより、フレームと軸受および軸受と端軸との間にあるクリアランスを処理胴とカウンタ胴とに分担する構造としている。したがって、処理胴に対して上方又は下方に配置したカウンタ胴と処理胴との間をシート状物が通過すると、シート状物をくわえるためのくわえ爪を有するカウンタ胴と処理胴とのうち上方に位置する胴はフレームと軸受および軸受と端軸との間に設けられたクリアランスの範囲で上方へ移動する。これは、上方に位置する胴側のクリアランスがこの胴の自重により上方に存在するので上方への遊動の余地ができたためであるが、下方に位置する胴側のクリアランスは、この胴の自重により上方に存在することにな り、シート状物が両胴の間を通過しても、下方に位置する胴はクリアランスのない下方へ押え付けられるので、シート状物の通過による下方に位置する胴の遊動はない。このため、従来のように上方に位置する胴を着脱用の偏心軸受と押込量調整用の偏心軸受とで支持した、いわゆるダブルエキセンの支持構造におけるフレームと一方の偏心軸受および一方の偏心軸受と他方の偏心軸受および他方の偏心軸受と端軸との間にあるクリアランスと比較して、本発明における上方に位置する胴側のクリアランスを小さくすることができ、その結果、シート状物の処理による上方に位置する胴の遊動量を最小限に抑えることができる。したがって、シート状物に対する処理胴による処理不良を防止し、処理精度を向上させることが可能になる。さらに、押込量入力手段に入力値を入力するだけで、自動的にシート状物に対する加工プレートの押込量を正確に調整することができる。
【００１１】
請求項３に係る発明によれば、調整手段の駆動源を１つのモータによって行うことによ
り、一対の調整用偏心軸受の動作量を個々に調整する必要がなくなるため、調整作業が容
易になるとともに調整精度が向上する。
【図面の簡単な説明】
【００１３】
【図１】本発明に係る処理装置を適用した枚葉輪転印刷機の全体を示す側面図である。
【図２】本発明に係る処理装置の側面図である。
【図３】本発明に係る処理装置におけるカウンタ胴の一部を破断して示す平面図である。
【図４】同図（Ａ）は図３におけるIV線矢視図、同図（Ｂ）は要部の拡大図である。
【図５】同図（Ａ）は図３におけるV 線矢視図、同図（Ｂ）は要部の断面図、同図（Ｃ）は要部の断面図である。
【図６】図３におけるVI線矢視図である。
【図７】本発明に係る処理装置を展開して示す平面図である。
【図８】同図（Ａ）は同じくエア吹き付け装置を説明するために処理装置を展開して示す平面図、同図（Ｂ）は同図（Ａ）におけるVIII（Ｂ）矢視図である。
【図９】同図（Ａ）は本発明に係る処理装置におけるカウンタ胴の軸受構造を説明するための処理装置の左側面図、同図（Ｂ）は同じく処理胴をカウンタ胴に着脱させる着脱装置の右側面図である。
【図１０】本発明に係る処理装置におけるカウンタ胴の軸受構造を説明するために処理装置を展開し一部を破断して示す平面図である。
【図１１】図１０におけるXI矢視図である。
【図１２】本発明に係る処理装置の構成を示すブロック図である。
【図１３】本発明に係る処理装置において、押切刃プレートに形成された押切刃とカウンタ胴に装着されたプレートとの間の隙間量を説明するために要部を拡大して示す側面図である。
【発明を実施するための形態】
【００１４】
以下、本発明の実施の形態を図に基づいて説明する。図１は本発明に係る処理装置を適
用した枚葉輪転印刷機の全体を示す側面図、図２は同じく処理装置の側面図、図３は同じ
くカウンタ胴の一部を破断して示す平面図、図４（Ａ）は図３におけるIV線矢視図、同図
（Ｂ）は要部の拡大図、図５（Ａ）は図３におけるV 線矢視図、同図（Ｂ）は要部の断面
図、同図（Ｃ）は要部の断面図、図６は図３におけるVI線矢視図である。
【００１５】
図７は本発明に係る処理装置を展開して示す平面図、図８（Ａ）は同じくエア吹き付け
装置を説明するために処理装置を展開して示す平面図、同図（Ｂ）は同図（Ａ）における
VIII（Ｂ）矢視図、図９（Ａ）は同じくカウンタ胴の軸受構造を説明するための処理装置
の左側面図、同図（Ｂ）は同じく処理胴をカウンタ胴に着脱させる着脱装置の右側面図、
図１０は同じくカウンタ胴の軸受構造を説明するために処理装置を展開し一部を破断して
示す平面図、図１１は図１０におけるXI矢視図、図１２は同じく構成を示すブロック図、
図１３は同じく押切刃プレートに形成された押切刃とカウンタ胴に装着されたプレートと
の間の隙間量を説明するために要部を拡大して示す側面図である。
【００１６】
図１に全体を符号１で示す枚葉輪転印刷機は、被処理材でありシート状物としての紙２
を１枚ずつ給紙する被処理材供給部でありシート状物供給部としての給紙部３と、給紙さ
れた紙２を印刷する印刷部４と、印刷された紙２をニスコーティングするコーティングユ
ニット５と、紙２を乾燥する乾燥ユニット６と、紙２に所定のパターンに押切り加工を施
す処理装置７と、被処理材排出部でありシート状物排出部としての排紙部８とによって概
ね構成されている。
【００１７】
給紙部３には、紙２を堆積状態で積載するシート状物積載手段としての紙積台１０と、
紙積台１０に積載された紙２を１枚ずつ分離しフィーダーボード１２に送り出すシート状
物供給手段としての給紙装置１１とが備えられている。印刷部４には４組の印刷ユニット
１３ないし１６が備えられており、各印刷ユニット１３ないし１６には、インキ装置から
インキが供給される版胴１７と、この版胴１７と対向するゴム胴１８と、このゴム胴１８
と対向し紙２をくわえて搬送する圧胴１９とが備えられている。
【００１８】
したがって、フィーダーボード１２から渡し胴２０に給紙された紙２は圧胴１９にくわ
え替えられて搬送され、ゴム胴１８との間を通過するときに１色目の印刷が行われる。１
色目の印刷が行われた紙２は、渡し胴２１Ａないし２１Ｃを介して順次印刷ユニット１４
，１５，１６に搬送され、２色目、３色目、４色目の印刷が行われる。
【００１９】
コーティングユニット５には、ニス供給装置からニスを供給されるニス胴２２と、この
ニス胴２２と対向し紙２を搬送する圧胴２３とが備えられており、印刷部４で印刷され渡
し胴２１Ｄから圧胴２３にくわえ替えられる紙２は、圧胴２３とニス胴２２との間を通過
するときに表面にニスがコーティングされる。
【００２０】
乾燥ユニット６には、印刷部４で印刷されたインキおよびコーティングユニット５でコ
ーティングされたニスを乾燥するＵＶランプ２５と、渡し胴２１Ｅから紙２をくわえ替え
し搬送する渡し胴２４とが備えられている。処理装置７には、外周面に紙２に所定のパタ
ーンに押切り加工を施す押切刃１７２ａが形成された加工プレートしての押切刃プレート
１７２（図１３参照）が装着されている加工胴としての処理胴２６と、この処理胴２６と
対向し紙２を搬送する搬送胴としてのカウンタ胴２７とが備えられている。
【００２１】
排紙部８には、処理装置７のカウンタ胴２７と対向する排紙胴２８と同軸上に回転自在に支持されたスプロケット２９と、排紙フレーム３０の後端部に回転自在に支持されたスプロケット３１と、これらスプロケット２９，３１間に張架され排紙爪（図示せず）が支架され排紙爪と共に搬送保持手段を構成する排紙チェーン３２とが備えられている。したがって、カウンタ胴２７から排紙チェーン３２の排紙爪にくわえ替えられた紙２は、排紙チェーン３２の走行により搬送され、排紙パイル３３の上方で排紙爪から解放され排出手段としての排紙パイル３３上に積載される。
【００２２】
カウンタ胴２７の外周部には、図２に示すように円周方向に互いに１８０°位相がずれ
た一対の切欠き３５，３５が軸線方向に延在するように設けられており、これら切欠き３
５，３５の両端は、図３に示すようにベアラ３６Ａ，３６Ｂによって閉塞されている。こ
れら切欠き３５内には、紙２を保持する保持手段としてのくわえ爪３７と、カウンタ胴２
７の外周面に装着するプレート３８のくわえ側端部３８ａを支持するくわえ側端部用プレ
ート支持手段３９と、プレート３８の尻側端部３８ｂを支持する尻側端部用プレート支持
手段４０とが設けられている。これらくわえ側端部用プレート支持手段３９と尻側端部用
プレート支持手段４０とがプレート支持手段４１を構成している。
【００２３】
くわえ爪３７は、図３に示すように左右のベアラ３６Ａ，３６Ｂ間に回転自在に軸支さ
れた爪軸４２と、この爪軸４２に軸線方向に間隔をおいて支架された多数の爪４３と、こ
の爪４３と協働して紙２をくわえる爪台４４とによって概ね構成されている。爪台バー４
５はカウンタ胴２７の軸線方向に延在し、図４に示すように切欠き３５の壁面３５ａにボ
ルト４５ａによって固定されており、この爪台バー４５に爪台４４が設けられている。
【００２４】
この爪台４４の端面と壁面３５ａとの間および爪台バー４５の背面部と壁面３５ａとの
間には、プレート３８のくわえ側端部３８ａを挿入するために、プレート３８の厚みより
もわずかに大きい間隔δに形成された挿入溝４６が、カウンタ胴２７の軸線方向に延在す
るように設けられている。爪台バー４５の背面部であって、後述する溝５５の開口部に対
応する部位には、カウンタ胴２７の軸線方向に延在する凹部４５ｂが設けられている。
【００２５】
爪軸４２の一方のベアラ３６Ａから突出された端部には、図３に示すようにレバー４７
の一端部が軸着されており、このレバー４７の他端部にはカムフォロア４８が枢支されて
いる。図５において、４９はボルト５０によってベアラ３６Ｂに取り付けられたトーショ
ンバーホルダであって、爪軸４２のトーションバー５１が爪４３を爪台４４に対して開く
るようにねじりモーメントを加えられた状態で取り付けられている。
【００２６】
このような構成において、カムフォロア４８が図示を省略した円板カムの大径部に添接
すると、トーションバー５１のねじりモーメントに抗して軸４２がレバー４７を介して回
動し、爪４３が爪台４４に対して閉じ、そしてカムフォロア４８が円板カムの大径部を通
過するとトーションバー５１のねじりモーメントにより軸４２が回動し爪４３が爪台４４
に対して開く。この爪４３の開閉動作により、渡し胴２１Ｆのくわえ爪または排紙チェー
ン３２の排紙爪との間で紙２のくわえ替えが行われる。
【００２７】
次に、図３ないし図６を用いて、くわえ側端部用プレート支持手段３９について説明す
る。図４において、５５は切欠き３５の壁面３５ａに設けられた溝であって、図３に示す
ようにカウンタ胴２７を軸線方向に貫通するように形成されており、底部には、カウンタ
胴２７の軸線方向に間隔をおいて多数の凹部５６が設けられている。５７は溝５５に嵌装
され、この溝５５と爪台バー４５とによって回転自在に支持されたプレート固定用シャフ
トであって、図３に示すように両端部５７ａ，５７ｂがベアラ３６Ｂ，３６Ａから突出さ
れている。
【００２８】
このプレート固定用シャフト５７の外周面は、図４（Ａ）に示すように断面が円弧状に
形成された押圧部５７ｃと、断面が平坦状に形成され軸線方向に延在する非押圧部５７ｄ
とによって構成されている。このプレート固定用シャフト５７のベアラ３６Ｂから突出さ
れた一端部５７ａは、六角柱状に形成された操作部が設けられており、この操作部５７ａ
の基端部には図５（Ｂ）に示すように断面が略正方形に形成された首部５７ｅが設けられ
ている。
【００２９】
５８は略Ｕ字状に形成されたばねであって、互いに対向する先端部５８ａ，５８ａがプ
レート固定用シャフト５７の首部５７ｅの互いに対向する辺を挟持するように首部５７ｅ
に係合して、基端部５８ｂがボルト５９によってベアラ３６に取り付けられている。この
ばね５８による首部５７ｅの挟持によりプレート固定用シャフト５７には回転に対して制
動がかけられ、機械運転中にプレート固定用シャフト５７が回転することが防止される。
図３において、６０は凹部６１が設けられたブラケットであって、プレート固定用シャフ
ト５７のベアラ３６Ａから突出された他端部５７ｂが凹部６１に臨むように、図６に示す
ようにボルト６２によってベアラ３６Ａに取り付けられている。
【００３０】
このブラケット６０の凹部６１には、互いに略直交するように設けられた一対のストッ
パ面６１ａ，６１ｂが設けられている。プレート固定用シャフト５７の他端部５７ｂには
、ストッパ面６１ａ，６１ｂに係合する係合面６３ａ，６３ｂを有する直方体状に形成さ
れた係合体６３が取り付けられている。このような構成において、後述するように穴付き
六角レンチ等によってプレート固定用シャフト５７の操作部５７ａをばね５８の付勢力に
抗して回動操作し、係合体６３の係合面６３ａを図６に示すようにストッパ面６１ａに係
合させることにより、図４に示すようにプレート固定用シャフト５７の押圧部５７ｃが爪
台バー４５の凹部４５ｂに対向する。
【００３１】
一方、プレート固定用シャフト５７の操作部５７ａを略９０°回動操作し、係合体６３
の係合面６３ｂをストッパ面６１ｂに係合させることにより、プレート固定用シャフト５
７の非押圧部５７ｄが爪台バー４５の凹部４５ｂに対向する。図４において、６５は各凹
部５６に設けられプレート固定用シャフト５７の外周面に対接する押付片であって、この
押付片６５と凹部５６との間には、複数の皿ばね６６が圧縮された状態で弾装されている
。
【００３２】
したがって、爪台バー４５と切欠き３５の壁面３５ａとの間の挿入溝４６に挿入された
プレート３８の略直角に折曲形成されたくわえ側端部３８ａは、プレート固定用シャフト
５７の押圧部５７ｃが爪台バー４５の凹部４５ｂに対向した状態において、皿ばね６６の
弾発力によって、図４（Ｂ）に示すように凹部４５ｂと押圧部５７ｃとによって挟持され
るようにして支持される。
【００３３】
次に、図３ないし図６を用いて、尻側端部用プレート支持手段４０について説明する。
尻側端部用プレート支持手段４０は、図３に示すように、左右のベアラ３６Ａ，３６Ｂ間
に回転自在に軸支されプレート４０の尻側端部４０ｂが巻き付けられる巻付けシャフト７
０と、この巻付けシャフト７０を回動させる操作手段７１とによって概ね構成されている
。
【００３４】
巻付けシャフト７０の外周面の一部には、図４に示すように断面が平坦状に形成された
取付面７０ａが軸線方向に延在するように設けられており、この取付面７０ａには多数の
ねじ孔７０ｂが軸線方向に設けられている。７２は取付面７０ａに対接され巻付けシャフ
ト７０の軸線方向に延在する押えバーであって、軸線方向に多数の挿通孔が設けられてお
り、この挿通孔に挿通させねじ孔７０ｂに螺合させたボルト７３によって取付面７０ａに
取り付けられる。
【００３５】
プレート３８の略直角に折り曲げられた尻側端部３８ｂには、ねじ孔７０ｂに対応する
ように多数のＵ字溝（図示せず）が設けられており、これらＵ字溝をねじ孔７０ｂに螺合
させたボルト７３に係入させ、ボルト７３を締め付けることによって尻側端部３８ｂが押
えバー７２と取付面７０ａとによって挟持されるようにして支持される。
【００３６】
操作手段７１には、図５に示すようにベアラ３６Ｂにボルトによって取り付けられたブ
ラケット７６と、このブラケット７６に固定されたブラケット７５と、これらブラケット
７５，７６に回転自在に支持された操作軸７７とが備えられている。操作軸７７の一端部
には、六角柱状に形成されブラケット７５から突出された操作部７７ａが形成されており
、この操作部７７ａの基端部には図５（Ｃ）に示すように断面が略正方形に形成された首
部７７ｅが設けられている。
【００３７】
７８は略Ｕ字状に形成されたばねであって、互いに対向する先端部７８ａ，７８ａが操
作軸７７の首部７７ｅの互いに対向する辺を挟持するように首部７７ｅに係合して、基端
部７８ｂがボルト７９によってブラケット７５に取り付けられている。このばね７８によ
る首部７７ｅの挟持により操作軸７７には回転に対して制動がかけられ、機械運転中に操
作軸７７が回転することが防止される。８０は操作軸７７に軸着されたウォームであって
、巻付けシャフト７０の一端部に軸着されたウォームホィール８１に噛合している。
【００３８】
このような構成において、操作軸７７の操作部７７ａを六角穴付きレンチ等によって回
転操作し、ウォーム８０を介してウォームホィール８１を図５（Ａ）中反時計方向に回動
させることにより、巻付けシャフト７０が図４中時計方向に回動する。この回動によって
、プレート３８の尻側端部３８ｂが巻付けシャフト７０に巻き付けられ、プレート３８が
カウンタ胴２７の円周方向に引っ張られることにより、プレート３８がカウンタ胴２７の
外周面に密着した状態で装着される。
【００３９】
次に、図２および図７を用いて、プレート３８をカウンタ胴２７の外周面に装着する際
にプレート３８をカウンタ胴２７の外周面に押し付ける押圧ローラについて説明する。図
７において、８５Ａ，８５Ｂは、左右のフレーム８６Ａ，８６Ｂに設けられ押圧ローラ８
７を移動させる移動手段であるが、これら移動手段８５Ａ，８５Ｂは共に同じ構造を有し
ているので、ここでは一方の移動手段８５Ａについてのみ説明し、必要に応じて他方の移
動手段８５Ｂについても説明する。
【００４０】
図７において、８８Ａはフレーム８６Ａに植設されたスタッド８９にシリンダエンドを
枢着された押圧ローラ着脱用アクチュエータであって押圧ローラ着脱用流体圧シリンダと
しての押圧ローラ着脱用エアシリンダであって、進退自在なロッド８８ａにレバー９０Ａ
の一端部が枢着されている。９１Ａはフレーム８６Ａに取り付けられたブラケット９２Ａ
とフレーム８６Ａに回転自在に支持された回動軸であって、フレーム８６Ａの外側に位置
する一端部にはレバー９０Ａの他端部が軸着されており、フレーム８６Ａの内側に位置す
る他端部には図２に示すようにレバー９３Ａの中央部が軸着されている。
【００４１】
レバー９３Ａの一端部には、軸受ホルダ９４Ａが取り付けられており、この軸受ホルダ
ー９４Ａには図２に示すようにＵ字状の切欠きが設けられ、この切欠きに押圧ローラ８７
の一方の端軸８７Ａに取り付けられたベアリング９５Ａが嵌装され、軸受ホルダ９４Ａに
ボルトで固定された押え板９４ａにより切欠きの開口部が閉塞されている。したがって、
押圧ローラ８７の一方の端軸８７Ａが軸受ホルダ９４Ａに回転自在に支持されている。押
圧ローラ８７の他方の端軸８７Ｂは、他方の移動手段８５Ｂの軸受ホルダ９４Ｂに設けら
れたＵ字状の切欠きに嵌挿され、押え板９４ｂにより切欠きの開口部が閉塞されて軸受ホ
ルダ９４Ｂに回転可能に支持されており、押圧ローラ８７は左右の移動手段８５Ａ，８５
Ｂにより回動軸９１Ａ，９１Ｂを中心に揺動可能に支持されている。
【００４２】
９６Ａはレバー９３Ａとフレーム８６Ａとの間に懸架された引張りコイルばねであって
、レバー９３Ａを回動軸９１Ａを回動中心として図２中時計方向に付勢している。９７Ａ
はフレーム８６Ａに取り付けられたブロックであって、このブロック９７Ａのねじ孔には
、押圧ローラ８７がカウンタ胴２７の切欠き３５に落ち込むのを防止するストッパとして
のボルト９８Ａが螺合している。
【００４３】
このボルト９８Ａの先端にレバー９３Ａの他端部が当接することによって、レバー９３
Ａの図２中反時計方向への回動が規制されるとともに、押圧ローラ８７によってプレート
３８をカウンタ胴２７の外周面に押圧する押圧位置に押圧ローラ８７が位置決めされる。
なお、押圧ローラ８７によるカウンタ胴２７に対する押圧力は、押圧ローラ着脱用エアシ
リンダ８８Ａ，８８Ｂのエア圧の調整により調整することができる。
【００４４】
このような構成において、左右の移動手段８５Ａ，８５Ｂの押圧ローラ着脱用エアシリ
ンダ８８Ａ，８８Ｂを作動させ、図９（Ａ）に示すようにロッド８８ａ，８８ｂを後退さ
せることにより、回動軸９１Ａが図２中反時計方向に回動する。この回動と一体的に一方
のレバー９３Ａが回動軸９１Ａを回動中心として、引張りコイルばね９６Ａの引張力に抗
して反時計方向に回動し、上記したように他端部がボルト９８Ａの先端に当接することに
より、押圧ローラ８７の外周面がカウンタ胴２７の外周面に対向し、押圧ローラ８７が押
圧位置に位置付けられる。
【００４５】
一方、押圧ローラ着脱用エアシリンダ８８Ａ，８８Ｂのロッド８８ａ，８８ｂを図９（Ａ）に示す位置よりも前進させることにより、レバー９３Ａが回動軸９１Ａを回動中心として時計方向に回動する。この回動によって、押圧ローラ８７がカウンタ胴２７の外周面から離間した退避位置に位置付けられる。
【００４６】
押圧ローラ８７の外周面には、くわえ爪３７のカウンタ胴２７の外周面から突出した突
出部３７ａ（図５参照）に対応して、この突出部３７ａが干渉しないための干渉回避部と
しての複数条の溝８７ａが軸線方向に設けられている。
【００４７】
次に、図２および図８を用いて、カウンタ胴２７により搬送される紙２に対してエアを
吹き付けるエア吹き付け装置について説明する。図８において、１００は左右のフレーム
８６Ａ，８６Ｂ間に延在するエアパイプであって、両端部に板状の支持片１０１，１０１
が突設されており、これら支持片１０１，１０１がフレーム８６Ａ，８６Ｂ間に横架され
たステー１０２にブラケット１０３，１０３を介して取り付けられている。エアパイプ１
００には、エア吹き付け装置１０５を構成する複数の第１エア吹きノズル１０６と複数の
第２エア吹きノズル１０７とが設けられている。
【００４８】
１０８は図示を省略したエア供給源からパイプ１００にエアを供給するホースであって
、パイプ１００に供給されたエアは、第１エア吹きノズル１０６の第１エア吹き出し口１
０６ａと、第２エア吹きノズル１０７の第２エア吹き出し口１０７ａから吹き出される。
これら第１および第２エア吹きノズル１０６，１０７は、それぞれの第１および第２のエ
ア吹き出し口１０６ａ，１０７ａが、共にカウンタ胴２７により搬送される紙２の処理胴
２６との接触位置Ａよりも紙搬送方向上流側で接触位置Ａの近傍において紙２に対してエ
アを吹き付けるように位置付けられている。
【００４９】
また、第１エア吹きノズル１０６の第１エア吹き出し口１０６ａは、紙搬送方向上流側
を指向しており、この第１エア吹き出し口１０６ａから吹き出されるエアは、カウンタ胴
２７の外周面に対して紙搬送方向上流側に傾斜して吹き出される。この第１エア吹き出し
口１０６ａから吹き出されるエアにより、紙２はカウンタ胴２７の外周面に装着されたプ
レート３８に押し付けられるとともに紙搬送方向上流側へ伸ばされ、カウンタ胴２７の外
周面に装着されたプレート３８に密着する。
【００５０】
また、第２エア吹きノズル１０７の第２エア吹き出し口１０７ａは、第１エア吹き出し
口１０６ａよりも紙搬送方向上流側に設けられカウンタ胴２７により搬送される紙２側を
指向している。すなわち、第２エア吹き出し口１０７ａから吹き出されるエアは、カウン
タ胴２７により搬送される紙２の紙面方向に吹き出される。この第２エア吹き出し口１０
７ａから吹き出されるエアにより紙２のあばれが抑えられ、第１エア吹き出し口１０６ａ
から吹き出されるエアとの相乗効果により、エアによる紙２のプレート３８への密着効果
が向上する。
【００５１】
次に、図９ないし図１１を用いて、処理胴２６をカウンタ胴２７に対して着脱させる着
脱手段１２０Ａ，１２０Ｂおよびカウンタ胴２７の軸受構造について説明する。先ず、処
理胴２６をカウンタ胴２７に対して着脱させる左右の着脱手段１２０Ａ，１２０Ｂについ
て説明する。一方の着脱手段１２０Ａは、同図（Ａ）に示すようにフレーム８６Ａに設け
られており、他方の着脱手段１２０Ｂは、同図（Ｂ）に示すようにフレーム８６Ｂに設け
られている。同図（Ａ）において、一方の着脱手段１２０Ａは、処理胴着脱用エアシリン
ダ１２１と、このエアシリンダ１２１に連結されたレバー１２２Ａと、このレバー１２２
Ａにフレーム８６Ａから外側に突出した一端部が軸着された駆動軸１２３と、レバー１２
２Ａと着脱用偏心軸受１２４Ａとを連結するロッド１２５Ａとによって概ね構成されてい
る。
【００５２】
エアシリンダ１２１はシリンダエンドがフレーム８６Ａに枢着されており、進退自在な
ロッド１２１ａの先端部はピン１２６を介してレバー１２２Ａの一方の側部に枢着されて
いる。駆動軸１２３は、他方のフレーム８６Ｂまで延設され、両端部が左右のフレーム８
６Ａ，８６Ｂに回転自在に支持されており、フレーム８６Ｂから外側に突出した他端部が
後述するレバー１２２Ｂに軸着されている。ロッド１２５Ａの下端部はピン１２７Ａを介
してレバー１２２Ａの上端部に枢着されており、上端部はピン１２８Ａを介して着脱用偏
心軸受１２４Ａに枢着されている。１２９はフレーム８６Ａに設けられレバー１２２Ａの
他方の側部を係止するストッパーであって、エアシリンダ１２１のロッド１２１ａが前進
することにより、カウンタ胴２７の外周面へ処理胴２６の外周面が接近して胴入れが行わ
れたときに、レバー１２２Ａの図中反時計方向への回動を規制する。
【００５３】
他方の着脱手段１２０Ｂは、同図（Ｂ）に示すように、駆動軸１２３の他端部に軸着さ
れたレバー１２２Ｂと、このレバー１２２Ｂの上端部にピン１２７Ｂを介して下端部が枢
着されたロッド１２５Ｂとによって構成されており、ロッド１２５Ｂの上端部はピン１２
８Ｂを介して着脱用偏心軸受１２４Ｂに枢着されている。
【００５４】
着脱用偏心軸受１２４Ａ，１２４Ｂは、左右のフレーム８６Ａ，８６Ｂのそれぞれに設
けられた孔に回動自在に支持され、処理胴２６の端軸２６ａ，２６ａを回転自在に支持し
ており、端軸２６ａの軸芯Ｇ１に対して着脱用偏心軸受の回動中心Ｇ２が所定の寸法だけ
偏心している。
【００５５】
したがって、処理胴２６の胴抜きの状態から、処理胴着脱用エアシリンダ１２１のロッ
ド１２１ａを前進させると、レバー１２２Ａが同図（Ａ）中反時計方向へ回動し、この回
動は駆動軸１２３を介してレバー１２２Ｂを同図（Ｂ）中時計方向へ回動させる。これら
レバー１２２Ａ，１２２Ｂの回動によって、ロッド１２５Ａを介して着脱用偏心軸受１２
４Ａが同図（Ａ）中時計方向に回動し、ロッド１２５Ｂを介して着脱用偏心軸受１２４Ｂ
が同図（Ｂ）中反時計方向に回動する。この結果、処理胴２６の軸芯Ｇ１が着脱用偏心軸
受１２４Ａの回動中心Ｇ２を中心として移動し、カウンタ胴２７の外周面へ処理胴２６の
外周面が接近して胴入れが行われる。
【００５６】
一方、処理胴２６の胴入れの状態から、処理胴着脱用エアシリンダ１２１のロッド１２
１ａを後退させると、レバー１２２Ａが同図（Ａ）中時計方向へ回動し、この回動は駆動
軸１２３を介してレバー１２２Ｂを同図（Ｂ）中反時計方向へ回動させる。これらレバー
１２２Ａ，１２２Ｂの回動によって、ロッド１２５Ａを介して着脱用偏心軸受１２４Ａが
同図（Ａ）中反時計方向に回動し、ロッド１２５Ｂを介して着脱用偏心軸受１２４Ｂが同
図（Ｂ）中時計方向に回動する。この結果、処理胴２６の軸芯Ｇ１が着脱用偏心軸受１２
４Ａの回動中心Ｇ２を中心として移動し、カウンタ胴２７の外周面から処理胴２６の外周
面が離間して胴抜きが行われる。
【００５７】
次に、カウンタ胴２７の軸受構造について説明する。図１０において、１３０Ａ，１３
０Ｂは左右のフレーム８６Ａ，８６Ｂに設けられたそれぞれの孔に回動自在に支持されレ
バー１３１Ａ，１３１Ｂのそれぞれが固定された調整用偏心軸受であって、カウンタ胴２
７の左右の端軸２７ａ，２７ａを回転自在に支持している。これら調整用偏心軸受１３０
Ａ，１３０Ｂの回動中心Ｇ４は、端軸２７ａの軸芯Ｇ３に対して所定の寸法だけ偏心して
いる。
【００５８】
図１０に全体を符号１３５で示すものは、カウンタ胴２７を処理胴２６に対して遠近方
向に移動させ紙２に対する処理胴２６による押圧力や処理量を調整する調整手段であって
、駆動源としての調整用モータ１３６と、この調整用モータ１３６の駆動を一対の調整用
偏心軸受１３０Ａ，１３０Ｂへ伝達する駆動伝達手段１３７を備えている。また、調整手
段１３５は、調整用モータ１３６に駆動連結された連結シャフト１３８と、一対の調整用
偏心軸受１３０Ａ，１３０Ｂのそれぞれに連結され、連結シャフト１３８にそれぞれ駆動
連結される左右一対の連結手段１３９Ａ，１３９Ｂとを備えている。
【００５９】
調整用モータ１３６はフレーム８６Ｂにスタッド１４１ａを介して取り付けられたサブ
フレーム１４１に固定されており、出力軸に軸着されたギア１４２が、左右のフレーム８
６Ａ，８６Ｂおよびフレーム８６Ａ，８６Ｂに取り付けられたブラケット１４３Ａ，１４
３Ｂに回転自在に支持された連結シャフト１３８に軸着されたギア１４４に噛合している
。連結シャフト１３８のサブフレーム１４１から突出された一端部にはギア１４５が軸着
されており、このギア１４５は、サブフレーム１４１に回転自在に支持された軸１４６に
軸着されたギア１４７に噛合している。
【００６０】
軸１４６の一端部にはギア部１４６ａが形成されており、このギア部１４６ａはギア１４８に噛合されている。このギア１４８はポテンショメータ１５１の被駆動軸１５２に軸着されており、このポテンショメータ１５１はサブフレーム１４１にスタッド１４９を介して取り付けられた支持板１５０に支持されている。
【００６１】
１５４Ｂはブラケット１４３Ｂに回転自在かつ軸線方向への移動が規制された状態で支
持された回転筒体であって、円筒状に形成されており、軸孔１５４ａの一部にねじ１５４
ｂが形成されている。１５５Ｂは回転筒体１５４Ｂに軸着されこの回転筒体１５４Ｂと一
体的に回転するウォームホィールであって、図１１に示すように上記した連結シャフト１
３８に軸着されこの連結シャフト１３８と一体的に回転するウォーム１５６Ｂに噛合して
いる。
【００６２】
図１０において、１５７Ｂは回転筒体１５４Ｂの軸孔１５４ａに遊挿された駆動軸であ
って、一端側に設けられたねじ部１５７ａが回転筒体１５４Ｂのねじ１５４ｂに螺合して
いる。１５８Ｂはロッドであって、一端部がピン１５９ａを介して駆動軸１５７Ｂの一端
部に枢着されており、他端部がピン１５９ｂを介してレバー１３１Ｂの一端部に枢着され
ている。
【００６３】
上記した連結手段１３９Ｂは、ウォーム１５６Ｂ、ウォームホィール１５５Ｂ、回転筒
体１５４Ｂ、駆動軸１５７Ｂ、ロッド１５８Ｂおよびレバー１３１Ｂによって構成されて
いる。連結シャフト１３８のフレーム８６Ａから突出した端部には、図１１に示すように
ウォーム１５６Ａが軸着されており、このフレーム８６Ａ側にも、連結手段１３９Ｂと同
じ構成によるウォーム１５６Ａ、ウォームホィール１５５Ａ、回転筒体１５４Ａ、駆動軸
１５７Ａ、ロッド１５８Ａおよびレバー１３１Ａからなる連結手段１３９Ａが備えられて
いる。
【００６４】
図９（Ａ）において、１６１，１６２はフレーム８６Ａ，８６Ｂに植設されたストッパ
であって、後述するように調整用モータ１３６を駆動し、駆動伝達手段１３７を介して左
右一対の調整用偏心軸受１３０Ａ，１３０Ｂを移動させる際に、レバー１３１Ａ，１３１
Ｂに係合し、これらレバー１３１Ａ，１３１Ｂの移動端限を決めている。
【００６５】
このような構成において、調整用モータ１３６を正方向へ駆動し、ギア１４２およびギ
ア１４４を介して連結シャフト１３８を回転させると、ウォーム１５６Ｂおよびウォーム
ホィール１５５Ｂを介して回転筒体１５４Ｂが図１１中時計方向に回転する。この回転に
より、回転筒体１５４Ｂのねじ孔１５４ｂにねじ部１５７ａが螺合している駆動軸１５７
Ｂが図１０中矢印Ｃ方向へ移動するので、ロッド１５８Ｂも矢印Ｃ方向へ移動する。
【００６６】
連結シャフト１３８の回転は、フレーム８６Ａ側のウォーム１５６Ａを回転させるので
、これと噛合するウォームホィール１５５Ａを介して回転筒体１５４Ｂが図１１中時計方
向に回転する。したがって、フレーム８６Ａ側のロッド１５８Ａが駆動軸１５７Ａを介し
て、矢印Ｃ方向へフレーム８６Ｂ側のロッド１５８Ｂと同じ距離移動する。
【００６７】
これらロッド１５８Ａ，１５８Ｂの矢印Ｃ方向への移動により、レバー１３１Ａ，１３
１Ｂ（一方のレバー１３１Ｂは図示せず）が図９（Ａ）中反時計方向に揺動することによ
り、カウンタ胴２７の軸芯Ｇ３が調整用偏心軸受１３０Ａ，１３０Ｂ（一方の調整用偏心
軸受１３０Ｂは図示せず）の軸心Ｇ４を回動中心として移動する。この結果、カウンタ胴
２７は処理胴２６から遠ざかる。
【００６８】
一方、調整用モータ１３６を逆方向へ駆動し、ギア１４２およびギア１４４を介して連
結シャフト１３８を回転させると、ウォーム１５６Ｂおよびウォームホィール１５５Ｂを
介して回転筒体１５４Ｂが図１１中反時計方向に回転する。この回転により、回転筒体１
５４Ｂのねじ孔１５４ｂにねじ部１５７ａが螺合している駆動軸１５７Ｂが図１０中矢印
Ｂ方向へ移動するので、ロッド１５８Ｂも矢印Ｂ方向へ移動する。
【００６９】
連結シャフト１３８の回転は、フレーム８６Ａ側のウォーム１５６Ａを回転させるので
、これと噛合するウォームホィール１５５Ａを介して回転筒体１５４Ｂが図１１中反時計
方向に回転する。したがって、フレーム８６Ａ側のロッド１５８Ａが駆動軸１５７Ａを介
して、矢印Ｂ方向へフレーム８６Ｂ側のロッド１５８Ｂと同じ距離移動する。
【００７０】
これらロッド１５８Ａ，１５８Ｂの矢印Ｂ方向への移動により、レバー１３１Ａ，１３
１Ｂ（一方のレバー，１３１Ｂは図示せず）が図９（Ａ）中時計方向に揺動することによ
り、カウンタ胴２７の軸芯Ｇ３が調整用偏心軸受１３０Ａ，１３０Ｂ（一方の調整用偏心
軸受１３０Ｂは図示せず）の軸心Ｇ４を回動中心として移動する。この結果、カウンタ胴
２７は処理胴２６に接近する。
【００７１】
この調整用モータ１３６の駆動は、ギア１４２、ギア１４４、連結シャフト１３８、ギ
ア１４５、ギア１４７およびギア１４８を介して被駆動軸１５２に伝達され、ポテンショ
メータ１５１で調整用モータ１３６の駆動量が計測される。
【００７２】
図１２において、１６６は処理胴着脱用電磁弁であって、この処理胴着脱用電磁弁１６
６を開くことにより、処理胴着脱用エアシリンダ１２１のロッド１２１ａが後退し、カウ
ンタ胴２７の外周面と処理胴２６の外周面との間に隙間が形成され胴抜きが行われる。１
６７は機械の位相を検出するロータリエンコーダであって、このロータリエンコーダ１６
７によって検出された機械の位相に基づき、制御装置１７０では処理胴着脱用電磁弁１６
６を作動させている。
【００７３】
１６８は調整量入力手段としての隙間量入力手段であって、図１３に示すように処理胴
２６の外周面に装着された押切刃プレート１７２に形成された押切刃１７２ａの先端とカ
ウンタ胴２７に装着されたプレート３８との隙間量ｔを入力するものである。この隙間量
ｔは紙２に対する押切刃１７２ａの押込量から紙２の厚さを差し引いた量、すなわち押切
刃１７２ａにより押切されずに残る厚さである。隙間量入力手段１６８に正の数の隙間量
を入力した場合はその数値が押切刃１７２ａにより押切されない厚さとなり、隙間入力手
段１６８に負の数の隙間量を入力した場合は押切刃１７２ａが紙２を突き抜けてカウンタ
胴２７に装着されたプレート３８に食い込むことになる。
【００７４】
この隙間量入力手段１６８は、押切刃１７２ａにより押切されない厚さを入力すること
で押切刃１７２ａの押込量の調整をすることになるので押込量入力手段ということもでき
る。１６９は処理胴２６に装着される押切刃プレート１７２の押切刃１７２ａの高さＴを
入力する調整量入力手段であり基準値入力手段としての刃高入力手段である。ここで、押
切刃１７２ａの高さＴは押切刃プレート１７２の裏面から押切刃１７２ａの先端までの距
離、すなわち押切刃プレート１７２を装着した処理胴２６の外周面から押切刃１７２ａの
先端までの距離である。１７０は制御装置であって、隙間入力手段１６８に入力される調
整量および刃高入力手段１６９に入力される基準値ならびにカウンタ胴用ポテンショメー
タ１５１による検出結果に基づいて、調整用モータ１３６を制御する。
【００７５】
次に、このように構成された処理装置において、カウンタ胴２７の外周面にプレート３
８を装着する作業について説明する。予め、押圧ローラ着脱用エアシリンダ８８Ａ，８８
Ｂを非作動状態とすることにより、押圧ローラ８７をカウンタ胴２７の外周面から離間さ
せた退避位置に位置付けておく。プレート固定用シャフト５７の操作部５７ａを回動操作
し、係合体６３の係合面６３ａをブラケット６０のストッパ面６１ｂに係合させることに
より、プレート固定用シャフト５７の非押圧部５７ｄを爪台バー４５の凹部４５ｂに対向
させる。この状態で、爪台バー４５と切欠き３５の壁面３５ａとの間の挿入溝４６に図４
に示すようにプレート３８のくわえ側端部３８ａを挿入する。
【００７６】
次いで、穴付き六角レンチ等によってプレート固定用シャフト５７の操作部５７ａを回
動操作し、係合体６３の係合面６３ａを、図６に示すようにブラケット６０のストッパ面
６１ａに係合させることにより、図４（Ａ）に示すようにプレート固定用シャフト５７の
押圧部５７ｃを爪台バー４５の凹部４５ｂに対向させる。したがって、プレート３８のく
わえ側端部３８ａは、皿ばね６６の弾発力によって、同図（Ｂ）に示すように凹部４５ｂ
と押圧部５７ｃとによって挟持されるようにして支持される。
【００７７】
このように、係合体６３の係合面６３ａが係合するストッパ面６１ａを設けたことによ
り、プレート３８のくわえ側端部３８ａを凹部４５ｂと押圧部５７ｃとによって挟持する
位置でプレート固定用シャフト５７の回動が停止するため、くわえ側端部３８ａを凹部４
５ｂと押圧部５７ｃとによって確実に支持することができるとともに操作性も向上する。
また、プレート固定用シャフト５７の首部５７ｅの互いに対向する辺をばね５８の先端部
５８ａ，５８ａによって挟持するようにしていることにより、プレート固定用シャフト５
７の所定の回動位置での停止状態を保持することができるから、くわえ側端部３８ａを凹
部４５ｂと押圧部５７ｃとによって確実に支持することができる。
【００７８】
次いで、押圧ローラ着脱用エアシリンダ８８Ａ，８８Ｂを作動させ、ロッド８８ａ，８８ｂを後退させることにより、押圧ローラ８７の外周面をカウンタ胴２７の外周面に対向させた押圧位置に位置付ける。この状態で、カウンタ胴２７を図２中反時計方向に回動させることにより、プレート３８のくわえ側端部３８ａ側からプレート３８をカウンタ胴２７の外周面に装着する。このとき、押圧ローラ８７が押圧位置に位置付けられているため、プレート３８はこの押圧ローラ８７によってカウンタ胴２７の外周面に押し付けられながら装着される。このため、プレート３８は全体がカウンタ胴２７の外周面から浮き上がることなく密着した状態で装着されていく。
【００７９】
プレート３８の尻側端部３８ｂを尻側端部用プレート支持手段４０に位置付けられた時
点で、カウンタ胴２７の回動を停止する。この状態で、尻側端部３８ｂを図４（Ａ）に示
すように巻付けシャフト７０の取付面７０ａと押えバー７２との間に挿入し、ボルト７３
を締め付けることによって尻側端部３８ｂを押えバー７２と取付面７０ａとの間に挟持し
支持する。
【００８０】
次いで、操作軸７７の操作部７７ａを六角穴付きレンチ等によって回転操作し、ウォー
ム８０を介してウォームホィール８１を図５（Ａ）中反時計方向に回転させることにより
、巻付けシャフト７０を図４中時計方向に回動させる。この回動によって、プレート３８
の尻側端部３８ｂが巻付けシャフト７０に巻き付けられるため、プレート３８がカウンタ
胴２７の円周方向に引っ張られ、カウンタ胴２７の外周面に装着される。
【００８１】
この巻き付けシャフト７０の巻き付け動作の以前に既に、押圧ローラ８７によってプレ
ート３８の全体がカウンタ胴２７の外周面に密着されていることにより、プレート３８は
全体がカウンタ胴２７の外周面から浮き上がることなく密着した状態で装着される。特に
、くわえ側端部３８ａの折り曲げ部の角度がカウンタ胴２７の壁面３５ａと有効面とのな
す角度に一致し折り曲げ部近傍がカウンタ胴２７の有効面に密着される。このため、従来
のようにプレート３８の中央部からくわえ側端部３８ａがカウンタ胴２７の外周面から部
分的に浮き上がるようなことがないから、プレート３８の天地方向における見当精度を向
上させることができるとともに、カウンタ胴２７と対向する処理胴２６による処理を均一
に行わせることができるため処理品質を向上させることができる。
【００８２】
次に、このようにカウンタ胴２７にプレート３８を装着した状態で、カウンタ胴２７に
よって搬送される紙２を処理胴２６によって処理する動作について説明する。予め、図示
を省略したエア供給源からパイプ１００にエアを供給し、パイプ１００に供給したエアを
第１エア吹きノズル１０６の第１エア吹き出し口１０６ａと第２エア吹きノズル１０７の
第２エア吹き出し口１０７ａから吹き出しておく。
【００８３】
この状態で、渡し胴２１Ｆのくわえ爪からカウンタ胴２７のくわえ爪３７にくわえ替え
られカウンタ胴２７によって搬送される紙２は、処理胴２６との接触位置Ａを通過する以
前に、第１および第２のエア吹きノズル１０６，１０７の第１および第２のエア吹き出し
口１０６ａ，１０７ａから吹き出されたエアが吹き付けられる。
【００８４】
したがって、仮にカウンタ胴２７によって搬送されてきた紙２にばたつきが発生してい
たとしても、第１および第２のエア吹きノズル１０６，１０７の第１および第２のエア吹
き出し口１０６ａ，１０７ａから吹き出されたエアによって、カウンタ胴２７に搬送され
る紙２が処理胴２６に接触する接触位置Ａを通過する以前にばたつきが矯正される。この
ため、処理胴２６による処理精度が低下することや紙２の天地方向の見当精度が低下する
ようなことがないから処理品質が向上する。
【００８５】
また、第２エア吹きノズル１０７の第２エア吹き出し口１０７ａが、第１エア吹き出し
口１０６ａよりも紙搬送方向上流側に設けられ、カウンタ胴２７により搬送される紙２側
を指向している。したがって、仮にカウンタ胴２７によって搬送される紙２にばたつきよ
りも大きなあばれが発生したとしても、紙２の紙面方向に吹き出されるこの第２エア吹き
出し口１０７ａから吹き出されるエアにより紙２のあばれが抑えられ、第１エア吹き出し
口１０６ａから吹き出されるエアとの相乗効果により、エアによる紙２のプレート３８へ
の密着効果が向上する。すなわち、比較的大きなあばれが第２エア吹き出し口１０７ａか
ら吹き出されたエアによって先ず矯正される。次いで、紙搬送方向上流側を指向している
第１エア吹き出し口１０６ａを有する第１エア吹きノズル１０６によって、比較的大きな
あばれが矯正された紙２のあばれがより一層矯正されるため、紙２はカウンタ胴２７の外
周面に確実に添接された状態で処理胴２６によって処理されるから処理品質が一層向上す
る。
【００８６】
次に、処理胴２６に対するカウンタ胴２７の基準位置への移動および処理胴２６に装着
されている押切刃プレート１７２の押切刃１７２ａによる押切量を変更する動作について
説明する。先ず、図１２において刃高入力手段１６９に入力された処理胴２６に装着する
押切刃プレート１７２の押切刃１７２ａの高さＴに基づいて、制御装置１７０は、カウン
タ胴２７を押切刃プレート１７２の押切刃１７２ａの先端がカウンタ胴２７の外周面に装
着されたプレート３８に接触する位置、すなわち基準位置に相当する基準値を算出する。
そして、隙間量入力手段１６８に入力された調整量をこの基準値に加算または減算して目
標値を算出し、カウンタ胴用ポテンショメータ１５１の検出値とこの目標値とを比較し、
一致しない場合はカウンタ胴用ポテンショメータ１５１の検出値が目標値と一致するまで
調整用モータ１３６を正方向または逆方向に駆動し、カウンタ胴２７を設定位置へ位置付
ける。
【００８７】
すなわち、カウンタ胴２７の現存の位置が設定位置よりも処理胴２６に近づいた位置に
ある場合は、制御装置１７０では調整用モータ１３６を正方向へ駆動する。この駆動によ
り回転する連結シャフト１３８の回転は、ロッド１５８Ａ，１５８Ｂを図１０中矢印Ｃ方
向に移動させるため、調整用偏心軸受１３０Ａ，１３０Ｂが図９（Ａ）中反時計方向に回
動する（図９（Ａ）には一方の調整用偏心軸受１３０Ｂは図示せず）。
【００８８】
この回動により、カウンタ胴２７の軸芯Ｇ３が調整用偏心軸受１３０Ａ、１３０Ｂの軸
芯Ｇ４を回動中心として移動する。この結果、カウンタ胴２７は処理胴２６から遠ざかる
方向へ移動する。カウンタ胴２７の位置はカウンタ胴用ポテンショメータ１５１により検
出され、これが制御装置１７０により算出された目標値と一致したときに制御装置１７０
は調整用モータ１３６の駆動を停止させる。
【００８９】
一方、カウンタ胴２７の現存の位置が設定位置よりも処理胴２６から離れた位置にある
場合は、制御装置１７０では調整用モータ１３６を逆方向へ駆動する。この駆動により回
転する連結シャフト１３８の回転は、ロッド１５８Ａ，１５８Ｂを図１０中矢印Ｂ方向に
移動させるため、調整用偏心軸受１３０Ａ，１３０Ｂが図９（Ａ）中時計方向に回動する
（図９（Ａ）には一方の調整用偏心軸受１３０Ｂは図示せず）。
【００９０】
この回動により、カウンタ胴２７の軸芯Ｇ３が調整用偏心軸受１３０Ａ，１３０Ｂの軸
芯Ｇ４を回動中心として移動する。この結果、カウンタ胴２７は処理胴２６に近づく方向
へ移動する。カウンタ胴２７の位置はカウンタ胴用ポテンショメータ１５１により検出さ
れ、これが制御装置１７０により算出された目標値と一致したときに制御装置１７０は調
整用モータ１３６の駆動を停止させる。
【００９１】
カウンタ胴２７が設定位置に位置付けられたのち、処理装置７による紙２の処理、すな
わち処理胴２６の押切プレート１７２による打ち抜きを行う。作業者は処理装置７により
処理された紙２を検査し、押込量の変更が必要な場合は隙間量入力手段１６８に隙間量を
入力する。例えば、押切刃１７２ａで紙２を押し切る処理において紙２の押切量が足りな
い場合は、さらに押込量を増やすために隙間入力手段１６８に負の隙間量を入力する。ま
た、粘着シールなどの加工のように剥離剤には押切りを行わず剥離剤に粘着されているシ
ール材および粘着層を押し切る処理において押切量が足りない場合は、さらに押込量を増
やすために隙間量入力手段１６８に正の値ではあるが現在入力されている隙間量よりは小
さい隙間量を入力する。この変更された隙間量と刃高入力手段１６９に入力された基準値
に基づいて制御装置１７０は変更された目標値を算出し、調整用モータ１３６を逆方向へ
駆動する。
【００９２】
調整用モータ１３６の逆方向への駆動により連結シャフト１３８、ロッド１５８Ａ，１
５８Ｂ等を介して調整用偏心軸受１３０Ａ，１３０Ｂが図９（Ａ）中時計方向に回動し（
図９（Ａ）には一方の調整用偏心軸受１３０Ｂは図示せず）、カウンタ胴２７の軸芯Ｇ３
が調整用偏心軸受１３０Ａ，１３０Ｂの軸心Ｇ４を回動中心として移動する。この結果、
カウンタ胴２７は処理胴２６に近づく方向へ移動する。カウンタ胴２７の位置はカウンタ
胴用ポテンショメータ１５１により検出され、これが変更された目標値と一致したときに
制御装置１７０は調整用モータ１３６の駆動を停止させる。
【００９３】
また、押切刃１７２ａの押込量が多い場合には押込量を減らすために隙間量入力手段１
６８に入力されている隙間量より大きい隙間量を入力する。この変更された隙間量と刃高
入力手段１６９に入力された基準値に基づいて制御装置１７０は変更された目標値を算出
し、調整用モータ１３６を正方向へ駆動する。
【００９４】
調整用モータ１３６の正方向への駆動により連結シャフト１３８、ロッド１５８Ａ，１
５８Ｂ等を介して調整用偏心軸受１３０Ａ，１３０Ｂが図９（Ａ）中反時計方向に回動し
（図９（Ａ）には一方の調整用偏心軸受１３０Ｂは図示せず）、カウンタ胴２７の軸芯Ｇ
３が調整用偏心軸受１３０Ａ，１３０Ｂの軸心Ｇ４を回動中心として移動する。この結果
、カウンタ胴２７は処理胴２６から遠ざかる方向へ移動する。カウンタ胴２７の位置はカ
ウンタ胴用ポテンショメータ１５１により検出され、これが変更された目標値と一致した
ときに制御装置１７０は調整用モータ１３６の駆動を停止させる。
【００９５】
このように、カウンタ胴２７に対する処理胴２６の着脱を処理胴２６側で行い、紙２に
対する処理胴２６による押圧力の調整をカウンタ胴２７側で行うようにしたことにより、
フレームと軸受および軸受と端軸との間に設けるクリアランスを各胴２６，２７に分担す
る構造としている。
【００９６】
したがって、カウンタ胴２７と処理胴２６との間を紙２が通過すると、処理胴２６はフ
レームと軸受および軸受と端軸との間に設けられたクリアランスの範囲で上方へ移動する
。これは、処理胴２６側のクリアランスが処理胴２６の自重により上方に存在するので上
方への遊動の余地ができたためであるが、処理胴２６の下方に配設されたカウンタ胴２７
側のクリアランスは、カウンタ胴２７の自重により上方に存在することになり、紙２がカ
ウンタ胴２７と処理胴２６との間を通過しても、カウンタ胴２７はクリアランスのない下
方へ押え付けられるので、紙２の通過によるカウンタ胴２７の遊動はない。
【００９７】
このため、従来のように処理胴２６を着脱用の偏心軸受と押込量調整用の偏心軸受とで
支持した、いわゆるダブルエキセンの支持構造におけるフレームと一方の偏心軸受および
一方の偏心軸受と他方の偏心軸受および他方の偏心軸受と端軸との間に設けられたクリア
ランスと比較して処理胴２６側のクリアランスを小さくすることができ、その結果、紙２
の処理による処理胴２６の遊動量を最小限に抑えることができることになる。したがって
、紙２に対する処理胴２６による処理不良を防止し、処理精度を向上させることが可能に
なる。
【００９８】
また、連結シャフト１３８によって左右一対の調整用偏心軸受１３０Ａ，１３０Ｂを同
時に同じ量だけ移動させるようにして調整手段１３５の調整を１つの調整用モータ１３６
によって行うようにしたことにより、一対の調整用偏心軸受の１３０Ａ，１３０Ｂの動作
量を個々に調整する必要がなくなるため、調整を精度よく簡単に行うことができる。また
、調整量入力手段としての隙間量入力手段１６８または／および刃高入力手段１６９に入
力値を入力するだけで、制御装置１７０によって自動的に紙２に対する処理胴２６による
押切力を正確に調整することができる。
【００９９】
カウンタ胴２７に対して処理胴２６を脱する場合は、ロータリエンコーダ１６７によっ
て検出された機械の位相に基づいて、制御装置１７０では処理胴着脱用電磁弁１６６を開
き、処理胴着脱用エアシリンダ１２１のロッド１２１ａを後退させる。この後退により、
着脱用偏心軸受１２４Ａ，１２４Ｂ（一方の着脱用偏心軸受１２４Ｂは図示せず）がレバ
ー１２３を介して図中反時計方向に回動することにより、処理胴２６の軸芯Ｇ１が着脱用
偏心軸受１２４Ａの軸心Ｇ２を回動中心として移動する。この結果、カウンタ胴２７の外
周面と処理胴２６の外周面との間に隙間が形成され胴抜きが行われる。
【０１００】
なお、本実施の形態においては、カウンタ胴２７の上方に処理胴２６を設けた例を説明
したが、カウンタ胴２７の下方に処理胴２６を設けてもよく、この場合は紙２が処理胴２
６とカウンタ胴２７との間を通過するときにカウンタ胴２７が自重に抗してカウンタ胴２
７の軸受と端軸との間のクリアランス分だけ持ち上げられ移動する。したがって、この場
合も従来のダブルエキセンの支持構造と比較してカウンタ胴２７の遊動量を小さくするこ
とができるから、紙２に対する処理胴２６による押圧力の精度を向上させることができる
ため処理胴２６による処理不良を防止することができる。
【０１０１】
また、本実施の形態においては、処理胴２６の外周面に装着するプレートを押切刃を形
成したプレートについてのみ説明したが、押切刃や折り目刃、エンボス型が設けられ、紙
に打抜き、折り目付き加工、エンボス加工を行う加工プレートや、印刷、コーティングに
使用する版材としてもよい。また、本実施の形態においては、処理胴２６の外周面に装着
されたプレートによって処理される被処理材を紙２としたが、フィルム状のシートや薄板
状に形成されたアルミ板としてもよく、また、シート状物だけではなくウェブとしてもよ
い。
【符号の説明】
【０１０２】
１…枚葉輪転印刷機、２…紙（シート状物）、７…処理装置、２６…処理胴、２７…カ
ウンタ胴、３７…くわえ爪（保持手段）、３８…プレート、３８ａ…くわえ側端部、３８
ｂ…尻側端部、３９…くわえ側端部用プレート支持手段、４０…尻側端部用プレート支持
手段、５７…プレート固定用シャフト、５７ａ…操作部、６６…皿ばね、７０…巻付けシ
ャフト、７１…操作手段、８５Ａ，８５Ｂ…移動手段、８７…押圧ローラ、８７ａ…溝（
干渉回避部）、８８Ａ，８８Ｂ…押圧ローラ着脱用エアシリンダ、１０５…エア吹き付け
装置、１０６…第１エア吹きノズル、１０６ａ…第１エア吹き口、１０７…第２エア吹き
ノズル、１０７ａ…第２エア吹き口、１２１Ａ…処理胴着脱用エアシリンダ、１２４Ａ…
着脱用偏心軸受、１３０Ａ，１３０Ｂ…調整用偏心軸受、１３５…調整手段、１３６…調
整用モータ、１３７…駆動伝達手段、１３８…連結シャフト、１３９Ａ，１３９Ｂ…連結
手段、１５１…ポテンショメータ、１６６…処理胴着脱用電磁弁、１６７…ロータリエン
コーダ、１６８…隙間量入力手段、１６９…刃高入力手段、１７０…制御装置、１７２…
押切刃プレート、１７２ａ…押切刃。
【図１】
0005420011.tif 000002
【図２】
0005420011.tif 000003
【図３】
0005420011.tif 000004
【図４】
0005420011.tif 000005
【図５】
0005420011.tif 000006
【図６】
0005420011.tif 000007
【図７】
0005420011.tif 000008
【図８】
0005420011.tif 000009
【図９】
0005420011.tif 000010
【図１０】
0005420011.tif 000011
【図１１】
0005420011.tif 000012
【図１２】
0005420011.tif 000013
【図１３】
0005420011.tif 000014